(57)【要約】【課題】  物品を保管するため、サーフボードに装着又は埋設するようにした水密区画体を提供する。【解決手段】  保管区画装置(10)は、有効な封止を行うための円形口部(13)と、側方区画(21)とを有する。それにより、より大きい、又は長尺の物品を水密状態で保管することができる。
2006527142.tif 000002
【特許請求の範囲】
【請求項１】
一対の直立リムを構成する内側リムと外側リムとによって囲まれた主開口部を有する主区画と、周縁部を有する蓋体と、を具備してなり、前記外側リムの内面に形成されたネジ部と螺合する雄ネジ部が前記周縁部に設けられており、前記内側リムがエラストマー封止部材を支持しており、前記蓋体が閉じられた際に、該蓋体の内面が前記封止部材と接触するように構成されていることを特徴とする耐水性区画体。
【請求項２】
前記封止部材が１又は２以上の周方向リブを有しており、前記蓋体が閉じられた際に、前記周縁部の内面が前記リブと接触するように構成されてなる請求項１に記載の区画体。
【請求項３】
前記封止部材がＪ字状をなしており、前記内側リム上に延出して、前記蓋体が閉じられた際に、該蓋体の下面と接触するように構成されてなる請求項１に記載の区画体。
【請求項４】
前記内側リムと前記外側リムが、チャンネルを画成している請求項１に記載の区画体。
【請求項５】
前記チャンネルが、主区画の下部よりも大きい直径を有する請求項４に記載の区画体。
【請求項６】
前記主区画は側壁を有しており、該側壁には別体の側方キャビティを受理するための開口部が形成されている請求項５に記載の区画体。
【請求項７】
ウォータークラフトまたはその類似物品に埋設するための耐水性区画体を構成する部品のアッセンブリであって、
蓋体により封止される主開口部を有する主区画を具備しており、該主区画は側壁を有しており、該側壁には口部が形成されており、該口部には口部に受理される外形を有する側方区画が設けられていることを特徴とする耐水性区画体を構成する部品のアッセンブリ。
【請求項８】
前記外形が、前記主区画と略同一の幅を有しており、該主区画よりも扁平になっている請求項７に記載のアッセンブリ。
【請求項９】
前記主区画は、チャンネルを画成する一対のリムにより囲まれた円形の主開口部を有しており、前記蓋体は周縁部を有しており、該蓋体が閉じられた際に、蓋体の周縁部が前記チャンネル内に嵌合するように構成されている請求項７に記載のアッセンブリ。
【請求項１０】
前記側方区画は、その閉塞端から側方に延出するピンを有している請求項７に記載のアッセンブリ。
【請求項１１】
サーフボードの表面に第１の円形キャビティを形成する工程と、
前記第１の円形キャビティと連通する第２の側方キャビティを形成する工程と、
主区画を前記第１のキャビティ内に挿入する工程であって、該主区画は側壁を有しており、該側壁に口部が形成され、該口部が前記第２の側方キャビティと整合するようにした工程と、
キャビティを前記主区画に挿入し、次いで、前記口部を介して前記側方キャビティに挿入する工程と、
前記主区画と前記キャビティを所定位置にて封止する工程と、
を具備してなるサーフボードに耐水性区画体を取付ける方法。
【発明の詳細な説明】
【技術分野】
【０００１】
本発明は保管区画体に係り、特に、物品を水密保管するためのサーフボードなどに装着可能な保管区画体に関する。
【背景技術】
【０００２】
サーフィン又はその他のボードスポーツを行う人にとって、キーや金銭などの物品をサーフボード内に保管することを要する場合がしばしばある。このキーなどを陸上に残しておくことが常に可能とは限らないし、車外に車のキーを残しておくことは盗難につながる。
【０００３】
ところで、サーフボードや、ニーボードへの装着に適した保管容器を考案することが従来から試みられている。或る種のレッグロープおよびサーフィン用衣服にはキーなどの小物を保管するポケットが設けられている。しかし、従来の装置およびポケットは、自動車安全システムを制御するために、組み込まれている無線又は赤外線発信機などの電子部品を備えた現行の自動車キーを保管するのに適した大きさと信頼性のある水密性の囲いを提供するようにはなっていない。このことは製造後のサーフボードに取付けることができる装置の場合も全く同様のことが言える。
【０００４】
耐水性や水密性といった用語は、本発明のサーフィンやこれに類似の活動において、現実的な考慮に基づいて規定され、解釈されるべきである。
【発明の開示】
【発明が解決しようとする課題】
【０００５】
本発明の目的は、サーフボードなどに装着又は埋め込むのに適した物品を保管するための水密保管区画体であって、電子部品を含む自動車キーなどの大きい物品を保管するのに十分な大きさの保管区画体を提供することである。
【課題を解決するための手段】
【０００６】
本発明の区画体の一実施の形態として、サーフボードなどに装着するための保管区画体が開示される。この保管区画体は水密であり、横方向に延出するキャビティを有していてもよい。
【０００７】
また、本発明の区画体の好ましい態様において、この保管区画の開口端には一対の直立リムが設けられ、その間に蓋体の周縁部が受理されるようになっている。
【０００８】
また、一つの態様において、内側リムは、蓋体又はその周縁部又はこれら双方と接触するエラストマー封止部材を支持し、外側リムは雌ネジ部を有し、これが上記周縁部の外面に形成された雄ネジと螺合するようになっている。
【０００９】
さらに、本発明の区画体の好ましい態様において、封止部材に１又は２以上の周方向封止リブが設けられ、上記周縁部の内面に対して封止するようになっている。
【発明の効果】
【００１０】
本発明の保管区画体によれば、サーフボードなどに装着又は埋め込むのに適した物品を保管することができ、電子部品を含む自動車キーなどの大きい物品を水密状態で保管することができる。
【発明を実施するための最良の形態】
【００１１】
以下に、本発明の一実施の形態を添付図面を参照して説明する。図１に示すように、保管区画装置又はアッセンブリ10は、本体11と、蓋体12とを具備している。好ましい実施の形態において、本体11は略円筒状をなしており、円形主開口部13を有しており、これが一対の直立リム14，15により囲まれている。内側リム14と外側リム15は周縁チャンネル（溝）を画成している。なぜならば、これらは床部16を介して相互に接続されているからである。
【００１２】
本発明の特定の実施の形態において、エラストマー封止部材17が内側リム14によって支持されている。図４を参照して説明すると、蓋体12は周縁部18を有し、これが内側リム14と外側リム15との間に嵌合し、エラストマー封止部材17に対し有利に封止されるようになっている。
【００１３】
特定の好ましい態様として、円筒状壁部19には開口部又は口部20が設けられ、これが横方向に延出したキャビティ21へのアクセスを提供している。或る態様においては、このキャビティ21は別体の部材であり、これは以下に説明するように取付けの際に上記本体11と接続される。
【００１４】
図２および図２ａに示すように、外側リム15は上方エッジ部22を有しており、これが図５に説明するように、サーフボード又はウォータークラフトのデッキの上面とほぼ面一になるようになっている。この輪郭図から明らかなように、外側リム15の直径は本体11の下部の直径よりも多少大きくなっている。従って、内側リム14と外側リム15との間に延出する床部16により段部が形成されている。図示のように、本体の側壁を貫通する開口部又は口部20は、床部16下面により形成された段部の下に位置している。この開口部はキャビティ21の外部形状と一致している。このキャビティ21の開口端部は口部20の曲線と合致する形状をなしている。口部20とキャビティ21との間の嵌合はゆるい摺動嵌合であり、これは後に取付けの間に樹脂で封止される。このキャビティは主区画部とほぼ同じ幅のもので、断面がほぼ扁平であって、最近のサーフボードのデッキと下面グラス層との間に嵌るようになっている。このキャビティは軸方向に延出するピン25を有するものとして示されている。このピンは以下に説明するように、取付けの間に有用なものである。蓋体12は盛上り部23により特徴づけられる上面を有するものとして示されている。或る実施の形態において、この盛上り部23は、ＳＡＮＴＲＯＰＲＥＮＥ（登録商標）などのポリマーを使用して所定位置に成形される。このように、サーフボードのデッキ上の蓋体の最大高さは適度な最小の高さに保たれるが、依然として開けたり閉じたりするためのグリップを提供するものである。
【００１５】
図３，４に示すように、内側リム14と外側リム15はチャンネルを画成し、これは、これらリム間に延出する床部16を含むものである。内側リム14は本体の側壁19とほぼ同じ平面を形成している。内側リム14は更に高さが外側リム15よりも一般に低くなっている。蓋体12は周縁部18を有する。完全に閉じたとき、この周縁部18は内側リム14および外側リム15により画成されたチャンネル内に延出することになる。好ましい実施の形態において、周縁部18の外面にはネジ部41が形成され、外側リム15の内面に形成されたネジ部と螺合するようになっている。この螺合ネジにより、外部からの水の浸入に対する第１のバリアが形成される。好ましい実施の形態において、周縁部18の底エッジ部43は床部16の内面と接触し、蓋を完全に閉じた際の水の浸入に対する第２のバリアを形成する。
【００１６】
図４に示すように、逆Ｊ字状のエラストマー封止部材17は、内側リム14の上方エッジ並びに内側リム14の外面の双方に接触している。このようにして、封止部材17は蓋体12の少なくとも下面と接している。好ましい実施の形態において、封止部材17は周縁リップ又はリブ44を有している。ここでは、このリブ44は下向きに傾斜した互いにほぼ平行な２つのリブからなるものとして示されている。これらのリブ44は周縁部18の内面と接触し、水の区画装置への浸入に対する更なるバリアを形成している。上方リブ44と接触する蓋体が区画装置10の内部を封止しているから、蓋体12を更に前進させることにより、内部圧力が増大し、それにより更に確かな水密状態が形成される。
【００１７】
図５に示すように、区画装置10は、サーフボードのような用具に形成された主窪み50内に取付けられる。ここに示すように、外側リム15の上方エッジ22がサーフボードの上面又はデッキとほぼ面一となるようにして取付けられる。第２の窪み52が主窪み50と連通して設けられ、横方向キャビティ21を受理するようになっている。ここに示すように、ピン25はアンカーとして作用し、以下に説明するように、取付けの際、サーフボードの気泡内にキャビティ21を配置させる。
【００１８】
本発明の或る実施の形態において、取付けキットが所有者又はプロの取付け人に提供される。プロによる取付けは一般に電気ルーター（えぐり具）およびルータービット（例えば、Ｃａｒｂｉｔｏｏｌ(登録商標)Ｔ８２２４Ｂ、又は、Ｃａｒｂｉｔｅｃ(登録商標)１５２００７インバーテッド・フラッシュ・トリマー）を必要とする。同じく望ましいものは、サンドペーパー、スクレーパー、樹脂、着色顔料および充填剤（必要に応じて）、小型のネジ回し又はスクライバー、マスキングテープ、鉛筆、安全装置および真空クリーナー（必要に応じて）である。同じく、取付けキットを必要とし、これにはルーターガイド、第２の窪み52を形成するための長円形の刃を有するナイフが含まれる。
【００１９】
取付けは、サーフボードを平らな場所に置き、良好な換気のもとでおこなわれる。次いで、この装置が置かれるサーフボード又は他のウォータークラフトの部位が特定される。次いで、取付け位置を、その正確な位置の周り約50mmの領域を含めて、マスキングテープで覆う。これはボードの表面保護のためのものである。ボードに穿設され、又は削られる主窪み50の位置を示すために、テープにマークをする。好ましい実施の形態においては、取付けプレートがこの領域上に置かれ、照合マークと整合させる。この取付けプレートはルーターのためのガイドを提供するもので、吸引カップなどを用いてボードに取着させてもよい。特に好ましい実施の形態において、取付けプレートを加工面に対して封止し、取付けプレートと、ボードとの間の空気を真空ホースで取り除き、ルーターの操作の間に、取付けプレートがボードの表面に引き込まれるようにする。取付けプレートを十分に固定した状態で、ルーター又は穴開け機を用い、取付けプレートの内側円をガイドとして最初の大径の穴が切削される。一旦、この円が切削された後（約１０ｍｍの深さ）、中央に残された小さなガラス繊維円盤を取り除き、ついで気泡の残りを削り取る。好ましい実施の形態において、最初のルーター刃による切削部の深さは約２ｍｍである。この時点で、第２のガイドリングが取付けプレートに取着され、切削工程が繰り返され、装置の本体11を受理させるための中央の穴が切削される。この主窪みの深さはボード51の上面から約２７〜２９ｍｍである。次いで、本体11がこの穴に挿入され、開口部又は口部20はボードの長手方向軸に沿うよう配向させることが好ましい。もしくは、それがストリンガーの邪魔になる場合には、開口部又は口部20をボードの長手方向軸を横断するように配向させる。ナイフを使用して気泡を切削し、キャビティ21を入れるための第２の窪み52を形成する。このナイフは、好ましくはキャビティ21の外形よりも僅かに大きいチューブ状のものを使用する。このナイフの一端を鋭利にし、主窪みの側壁中を切削し、第２の窪み52を形成する。このナイフの他端はハンドルを支持するものとする。生じたコア部を小さなネジ回し又はスクライバーを用いて除去する。次いで、キャビティ21をこの穴に挿入し、正しく嵌合するか否かをテストする。キャビティ21を通常の圧力でボード内に押し込み、既に取付けられているベースユニットの内面と面一となる直前で停止させる。ピン25は気泡中にパイロット孔を生じさせる。
【００２０】
装置の外側、つまり底部および側面をサンドペーパーで軽くこすり、接着性を改善すると共に、樹脂がベースユニット上の頭部に浸入するのを防止する。ここで、取付けリング70（図３参照）を主開口部に一時的に挿入し、フランジ71が外側リム15を超えて延出するようにする。フランジ71は外側リムをデッキ51と面一に保持させるものであり、取付け後は除去する。Ｑ−セルを有する樹脂又はホワイトペーストを含む同様の物質の少量を主窪み50の底部に適用する。側方キャビティ21を開口部又は口部20を介して部分的に挿入した状態で、本体を主窪み50内に押し下げ、底部の接着剤と接触させる。次いで、側方キャビティ21を開口部又は口部20を介して押し込み、その完全な取付け位置に収める。このとき、窪み21の内面は本体11の内面と同一面となる。残留する隙間は充填することができる。
【００２１】
以上、本願発明を特定の細部構成および特定の材料を参照して説明したが、これらは単なる例示に過ぎず、本願発明の技術思想の範囲を制限するものではないことを理解されるべきである。
【図面の簡単な説明】
【００２２】
【図１】好ましい実施の形態としての保管区画装置の分解斜視図。
【図２】保管区画の側面図。
【図２ａ】本体部分の側面図。
【図３】図１に示す保管区画装置の本体の一部の斜視図であって、取付け部材を示した図。
【図４】封止および隣接部材の断面図。
【図５】保管区画装置がサーフボードに取付けられた状態を示した断面図。
【符号の説明】
【００２３】
10    保管区画装置、アッセンブリ
11    本体
12    蓋体
13    主開口部
14    内側リム
15    外側リム
16    床部
17    封止部材
18    周縁部
19    壁部
20    口部
21    キャビティ
23    盛上がり部
25    ピン
43    底エッジ部
44    周縁リップ、リブ
50    主窪み
52    第2の窪み
【図１】
2006527142.tif 000003
【図２】
2006527142.tif 000004
【図２ａ】
2006527142.tif 000005
【図３】
2006527142.tif 000006
【図４】
2006527142.tif 000007
【図５】
2006527142.tif 000008
【国際調査報告】
2006527142.tif 000009
2006527142.tif 000010
2006527142.tif 000011
2006527142.tif 000012